(57)【要約】      （修正有）【課題】  輸送元と輸送先との間で気象条件の違いがあっても衣類の型を維持して衣類を安全に輸送することができる、衣類をハンガーに吊り下げて収納する輸送用容器及びこれを用いて輸送する方法を提供する。【解決手段】  衣類２をハンガー３に吊り下げた状態で収納できる有底箱状の容器本体１と、この容器本体１の上面開口縁に環状パッキン５を介して被着されて前記容器本体内を密閉する蓋体４とからなる輸送用容器を用いて衣類を輸送する方法と輸送用容器であって、前記容器本体内１に衣類２をハンガー３に吊り下げた状態で収納した後、蓋体４を閉じるときに、予め輸送先の蓋体を開ける時期の現地湿度を想定して、この想定湿度に容器本体１内を保って蓋体４を閉じ、輸送することを特徴とする方法および衣類２をハンガー３に吊り下げた状態で収納できる有底箱状の容器本体１と、この容器本体１の上面開口縁に被着される蓋体４とからなる輸送用容器である。【選択図】  図１
2007001628.tif 000002
【特許請求の範囲】
【請求項１】
衣類をハンガーに吊り下げた状態で収納できる有底箱状の容器本体と、この容器本体の上面開口縁に環状パッキンを介して被着されて前記容器本体内を密閉する蓋体とからなる輸送用容器を用いて、衣類を輸送する方法であって、
前記容器本体内に衣類をハンガーに吊り下げた状態で収納した後、蓋体を閉じるときに、予め輸送先の蓋体を開ける時期の現地湿度を想定して、この想定湿度に容器本体内を保って蓋体を閉じ、輸送することを特徴とする方法。
【請求項２】
衣類をハンガーに吊り下げた状態で収納できる有底箱状の容器本体と、この容器本体の上面開口縁に被着される蓋体とからなる輸送用容器であって、
前記容器本体の対向内面にそれぞれ上面開口の縁から上下方向に挿脱可能に嵌め込まれる左右一対の軸受部材と、両軸受部材の対向する面に対称的にそれぞれ設けられかつ挿入される軸が抜け出さないような挿脱用の横向き開口を有する軸受穴と、両軸受穴に挿入される両軸部を両端側にそれぞれ有しかつこの両軸部の中間にあるハンガー係止本体部にはハンガーのフックが横向きに挿入されて係止する長溝穴を一端側から長手方向に沿って有するハンガー係止部材とを備えたことを特徴とする輸送用容器。
【請求項３】
容器本体の上面開口縁の外側にその全周にわたって等間隔に少なくとも４個配設される蓋止め金を備え、この蓋止め金は上方に回転して蓋体の周縁に係止した後、そのままスライドして蓋体を締め付けるように止めると共に自身もロックされるようにしたことを特徴とする請求項２記載の輸送用容器。
【発明の詳細な説明】
【技術分野】
【０００１】
本発明は、衣類をハンガーに吊り下げて収納する輸送用容器及びこれを用いて輸送する方法に関するものである。
【背景技術】
【０００２】
最近では、衣類（スーツ、コート、ジャケットなど）は生産コストを抑えるために中国や東南アジアなどで生産し、プレス加工をしてハンガーに吊り下げた状態で国内（販売店など）に輸送している。
【０００３】
この衣類の輸送には、輸送中に湿気が容器内に侵入しないように特殊なボックスの密閉容器が使用されている。つまり、プレス加工された衣類はたとえハンガーに吊り下げられた状態で容器内に収納されていても、飛行機や船などによる長時間の輸送中に容器（密閉されていない）内に侵入してくる湿気によって型がとれてしまうので、この所謂「プレス戻り」の発生を防ぐために密閉容器が使用されている。
【発明の開示】
【発明が解決しようとする課題】
【０００４】
しかしながら、かかる密閉容器を使って衣類を輸送するに際し、衣類を密閉容器に入れる国（中国や東南アジアなど）と密閉容器を開ける輸送先（国内）との間で気象条件の違いから大きな湿度差があると、輸送先において密閉容器を開けたときに、急激な湿度の変化が生じて衣類の型がとれてしまう所謂「プレス戻り」が発生する。この場合、輸送先では衣類に対して「再プレス」を行うなどの必要があり、余分な費用と納品遅れなどの弊害が生じるという問題がある。
【０００５】
また、飛行機や船、または自動車などによる長距離輸送されるときの上下の激しい振動により、容器（密閉容器に限らない）内でハンガーがバーから外れて衣類が容器内でグシャグシャになったり、時には容器の蓋が開いてしまったりすることがある。この場合、輸送先では容器内でグシャグシャになった衣類のシワ延ばしをしたり、はみ出している衣類を整理したりするなどその仕上げに余分な手間（労力）と費用が掛かるという問題がある。
【０００６】
本発明は、かかる従来技術の問題を解消するために創案されたものであり、その目的は、輸送元と輸送先との間で気象条件の違いがあっても衣類の型を維持して衣類を安全に輸送することができる、衣類をハンガーに吊り下げて収納する輸送用容器及びこれを用いて輸送する方法を提供することにある。
【０００７】
本発明者は、かかる目的を達成するために輸送容器内を輸送先と同じ湿度に保持しながら安全に衣類を輸送する方法及びそのために好適な輸送用容器について鋭意検討した結果、本発明の完成に至った。
【課題を解決するための手段】
【０００８】
即ち、本発明は衣類をハンガーに吊り下げた状態で収納できる有底箱状の容器本体と、この容器本体の上面開口縁に環状パッキンを介して被着されて前記容器本体内を密閉する蓋体とからなる輸送用容器を用いて、衣類を輸送する方法であって、
前記容器本体内に衣類をハンガーに吊り下げた状態で収納した後、蓋体を閉じるときに、予め輸送先の蓋体を開ける時期の現地湿度を想定して、この想定湿度に容器本体内を保って蓋体を閉じ、輸送することを特徴とする方法である。
【０００９】
また、本発明は衣類をハンガーに吊り下げた状態で収納できる有底箱状の容器本体と、この容器本体の上面開口縁に被着される蓋体とからなる輸送用容器であって、
前記容器本体の対向内面にそれぞれ上面開口の縁から上下方向に挿脱可能に嵌め込まれる左右一対の軸受部材と、両軸受部材の対向する面に対称的にそれぞれ設けられかつ挿入される軸が抜け出さないような挿脱用の横向き開口を有する軸受穴と、両軸受穴に挿入される両軸部を両端側にそれぞれ有しかつこの両軸部の中間にあるハンガー係止本体部にはハンガーのフックが横向きに挿入されて係止する長溝穴を一端側から長手方向に沿って有するハンガー係止部材とを備えたことを特徴とする輸送用容器である。
【００１０】
本発明の輸送用容器の好ましい態様では、容器本体の上面開口縁の外側にその全周にわたって等間隔に少なくとも４個配設される蓋止め金を備え、この蓋止め金は上方に回転して蓋体の周縁に係止した後、そのままスライドして蓋体を締め付けるように止めると共に自身もロックされるようにしている。
【発明の効果】
【００１１】
本発明の上記方法によれば、衣類を容器に入れて蓋体を閉じるときに容器本体内の湿度を輸送先の想定湿度に保って、これを輸送するので、輸送中は勿論容器本体内が密閉状態であるために湿度の変化はないし、輸送先において蓋体を開けたときにも湿度変化がないので衣類に一気に湿気が付着するということがなく、輸送先の湿度にそのままなじみ、湿度による衣類への影響が皆無となり、衣類への「再プレス」などが不要になるという効果がある。
【００１２】
本発明の上記輸送用容器によれば、ハンガーのフックがハンガー係止部材の長溝穴内に嵌め込まれているので、輸送中に上下の激しい振動にあっても、ハンガーがハンガー係止部材から衣類ごと外れるということがなく、そのため輸送先では衣類のシワ延ばしなどの手を加えることなくそのまま納品（販売）できるという効果がある。
【００１３】
本発明の上記輸送用容器の好ましい態様によれば、蓋体の周縁全周にわたって等間隔に少なくとも４個配設されかつスライドしてロックされる蓋止め金を備えるので、輸送に上下の激しい振動にあっても、蓋止め金が外れて蓋体が開くということがなく、そのため輸送中の開蓋事故が皆無になるという効果がある。
【発明を実施するための最良の形態】
【００１４】
本発明の輸送用容器を用いて衣類を輸送する方法は、密閉容器内の湿度を輸送先の想定湿度に保って輸送することにより、例えば輸送先の想定湿度と同じ湿度で保たれた部屋で衣類を輸送用容器に収納及び密封に対して輸送することにより、実現することができる。また、本発明の衣類の輸送用容器は、ハンガーのフックをハンガー係止部材の長溝穴内に嵌め込んで外れないようにすることにより、実現することができる。
【００１５】
以下において本発明の輸送用容器の一実施態様を図１〜図１１を用いて説明するが、本発明はこれに限定されるものではない。図１は輸送用容器の輸送状態を示す縦断側面図、図２は図１の容器本体を示す斜視図、図３は図２の容器本体に軸受部材を取り付けた状態を示す部分図、図４は図３の軸受部材を示す正面図、図５は図４中イーイ線に沿う断面図、図６は図１のハンガー係止部材を示す側面図、図７は図６を左からみた図、図８は図１の蓋止め金を示す正面図、図９は図８中ローロ線に沿う断面図、図１０は図１の蓋体を示す部分斜視図、図１１は衣類を容器本体内に入れるときの作業状態を示す図である。
【００１６】
図において、１は１着または２着の衣類２（図面ではスーツ）をハンガー３に吊り下げた状態で収納できる空間１ａを有する有底箱状の容器本体、４は容器本体１の上面開口縁１ｂに環状パッキン５を介して被着されて容器本体１内を密閉する蓋体、６は容器本体１の両側内面に対向状に設けられかつ上面開口縁１ｂ側に開口する嵌込凹所、７は背面の嵌込凸所７ａにより両嵌込凹所６に挿脱可能に嵌め込まれる左右一対の軸受部材、８は両軸受部材７の対向する面に対称的に設けられかつ挿脱用の横向き開口８ａを有する軸受穴、９は両軸受穴８に挿入される両軸部９ａを両端側に有しかつこの両軸部９ａの中間にあるハンガー係止本体部９ｂにはハンガー３のフック３ａが横向きに挿入されて係止する長溝穴９ｃを有するハンガー係止部材、１０は容器本体１の上面開口縁１ｂの外側にその全周にわたって等間隔に４個配設した蓋止め金で、基部軸１０ａが軸受フック１１により着脱可能に保持されて上方に回転すると共にスライドするようになっている。この蓋止め金１０の個数はさらに増加させても良い。
【００１７】
なお、有底箱状の容器本体１は、底にゆくにしたがって次第に細くなるような形状で構成されている。
また、両軸受部材７の各軸受穴８の内面には、図３〜図５に示すように突条８ｂを設けてあって、ハンガー係止部材９の両軸部９ａを両軸受穴８に嵌め込んだときにこれがその周溝９ｄに嵌り込むようにされている。こうすることによって両軸受部材７によるハンガー係止部材９の受けがより強固になる。また軸受穴８の挿脱用の横向き開口８ａには上方しぼり部８ｃを設けてあるので、この挿脱用の横向き開口８ａから嵌め込まれたハンガー係止部材９の両軸部９ａが輸送中の上下の激しい振動によっても両軸受穴８から容易に抜け出さないようになる。
【００１８】
さらに、ハンガー係止部材９の長溝穴９ｃの形状（縦断面した側面形状）を、図６、図７に示すようにハンガー３のフック３ａと同じ形状としてあるので、フック３ａの係止状態が良好に維持されて抜け出さないし、またこの長溝穴９ｃは前方壁９ｅによって塞がれているので挿し込んだフック３ａがそのまま長溝穴９ｃに沿って向こう側に抜け落ちるということがない。
【００１９】
今、衣類２を輸送するときには、蓋止め金１０が４個付いた容器本体１（図２の状態）に、まず両軸受部材７をそれぞれ取り付ける。両軸受部材７は、図３に示すように嵌込凸所７ａを上面開口縁１ｂ側から嵌込凹所６に嵌め込んで取り付ける。そして、この状態で容器本体１（図２の状態）を、横に寝かせて置いておく。
【００２０】
一方、図１１に示すように厚紙１２の上にハンガー３に吊り下げられた状態の衣類２を置き、そのハンガー３のフック３ａをハンガー係止部材９の長溝穴９ｃに上から挿入する。こうして立てた状態のハンガー係止部材９の長溝穴９ｃに、重ねて置いたもう一着の衣類２のハンガー３のフック３ａを上から挿入する。
【００２１】
こうして厚紙１２の上にハンガー係止部材９によりそれぞれ保持された二着の衣類２を重ねたまま（図１１に示す状態）で、先ほど寝かせて置いた容器本体１の中へ、厚紙１２を利用して挿入する。その挿入し終わった段階で厚紙１２を抜き出した後、ハンガー係止部材９の両軸部９ａを軸受部材７の挿脱用の横向き開口８ａからそれぞれ挿入して両軸受穴８に嵌め込む。この状態ではハンガー係止部材９はその両軸部９ａが両軸受部材７の両軸受穴８にしっかりと保持されるので、ハンガー係止部材９が両軸受部材７から外れる（抜け落ちる）ことがない。
【００２２】
そして、容器本体１を立てた後、蓋体４を被せて図１に示すように４個の蓋止め金１０により固定する。この蓋体４の固定により両軸受部材７の上方への抜けもなくなり、ハンガー係止部材９の保持もさらに強固になるので、ハンガー３のフック３ａがハンガー係止部材９の長溝穴９ｃから外れる（抜け落ちる）ことがない。よって、この状態で輸送すると、輸送中の上下の激しい振動によっても、ハンガー３がハンガー係止部材９から衣類２ごと外れるということがない。
【００２３】
次に、輸送先で空になった本容器を返送する場合には、蓋体４を外した容器本体１からハンガー係止部材９そして両軸受部材７を外して、図２に示すような容器本体１とし、こうした容器本体１の中へもう一つの同じ状態の容器本体１をその底細りの形状を利用して挿し込んで重ね合わせると、全体的に寸法が大きくならないコンパクトな状態になる。よって、１個１個では嵩の高い容器本体１でも、このようにすると、数個の容器本体１を嵩の低い状態で返送することができるようになる。
【００２４】
その際、図２、図３に示すように各蓋止め金１０が容器本体１の上面開口縁１ｂの下にもぐり込むようになるので、輸送中に各蓋止め金１０が出っ張らず、よりコンパクト化が図れると共に、同時に蓋止め金１０の衝撃などによる破損が免れる。
【００２５】
本実施態様においては、輸送用容器は、容器本体１とこれに環状パッキン５を介して被着される蓋体４とにより密閉される輸送用の密閉容器として説明したが、密閉容器でない容器であっても、両軸受部材７とハンガー係止部材９とによってハンガー３の外れ（抜け落ち）を防止して同様の効果が得られることは勿論である。
【００２６】
次に、本発明の輸送用容器の蓋止め金の一実施例を図１〜図１１を用いて説明するが、各図において、追加する部分についてのみ説明する。
図３及び図８〜図１０において、１３は蓋体４の４カ所（４個の蓋止め金１０にそれぞれ対応する４カ所）にそれぞれ配設した止め金係止部で、くぼみ部１３ａとこれに導くための傾斜面部１３ｂとを有している。
【００２７】
なお、各蓋止め金１０の先端にはそれぞれ止め突起１０ｂを設けてある。そして、この蓋止め金１０は、図３に示すようにその基部軸１０ａが軸受フック１１により保持されて上方に回転すると共にスライドするようになっている。
【００２８】
よって、蓋止め金１０を上方に回してその止め突起１０ｂを止め金係止部１３に係止させた（その平らな面に）後、スライドさせてその止め突起１０ｂを傾斜面部１３ｂからくぼみ部１３ａに嵌め込む。こうして止め突起１０ｂがくぼみ部１３ａに嵌め込まれた状態では、蓋止め金１０は止め突起１０ｂがくぼみ部１３ａから外れないので、蓋体４を強固に被着させ、輸送中の上下の激しい振動によっても、蓋止め金１０が蓋体４から外れないし、蓋体４が開くということがない。
【００２９】
次に、本発明の衣類の輸送方法を、前記実施態様における容器本体１とこれに環状パッキン５を介して被着される蓋体４とにより密閉される輸送用密閉容器を用いて説明する。
つまり、本実施態様では、衣類２を生産した国において、かかる輸送用の密閉容器を用いて、その容器本体１内に衣類２をハンガー３に吊り下げた状態で収納した後、蓋体４を閉じるときに、予め輸送先の蓋体４を開ける時期の現地湿度を想定して、この想定湿度に容器本体１内を保ってから蓋体４を閉じる。例えば衣類を中国で生産してこれを日本に輸送する場合、日本で蓋体を開ける時期の想定湿度に保たれた部屋内で輸送用容器への衣類の収納・密封を行うことによって達成される。
【００３０】
こうして輸送すると、輸送中は勿論容器本体１内が密閉状態であるために容器本体１内の湿度が変化せず衣類２に湿度による影響はないし、輸送先において蓋体４を開けたときにも湿度変化がほとんど生じないので衣類２に一気に湿気が付着するということがなく、輸送先の湿度にそのままなじみ、再プレスなどの湿度による衣類への影響が皆無となる。
【００３１】
本実施態様において、前記実施態様において述べた、両軸受部材７及びハンガー係止部材９を用いてハンガー３の外れを防止する構造、または蓋止め金１０を用いて蓋体４の開きを防止する構造を利用することは、輸送時のニーズに合わせて適宜選択できることは勿論である。
【産業上の利用可能性】
【００３２】
本発明は、衣類をハンガーに吊り下げて収納する輸送用容器及びこれを用いて輸送する方法に広く活用できる。特に湿度環境の異なる国または地方間で衣類を輸送するときに衣類の型に影響を与えずに安全に行うことができる。
【図面の簡単な説明】
【００３３】
【図１】本発明の実施態様を示すもので、輸送用容器の輸送状態を示す縦断側面図である。
【図２】図１の容器本体を示す斜視図である。
【図３】図２の容器本体に軸受部材を取り付けた状態を示す部分図である。
【図４】図３の軸受部材を示す正面図である。
【図５】図４中イーイ線に沿う断面図である。
【図６】図１のハンガー係止部材を示す側面図である。
【図７】図６を左からみた図である。
【図８】図１の蓋止め金を示す正面図である。
【図９】図８中ローロ線に沿う断面図である。
【図１０】図１の蓋体を示す部分斜視図である。
【図１１】衣類を容器本体内に入れるときの作業状態を示す図である。
【符号の説明】
【００３４】
１：容器本体
１ａ：容器本体の空間
１ｂ：容器本体の上面開口縁
２：衣類
３：ハンガー
３ａ：ハンガーのフック
４：蓋体
５：環状パッキン
６：嵌込凹所
７：軸受部材
７ａ：嵌込凸所
８：軸受穴
８ａ：軸受穴の横向き開口
８ｂ：軸受穴の突条
８ｃ：横向き開口の上方しぼり部
９：ハンガー係止部材
９ａ：ハンガー係止部材の軸部
９ｂ：ハンガー係止本体部
９ｃ：ハンガー係止本体の長溝穴
９ｄ：ハンガー係止部材の周溝
９ｅ：前方壁
１０：蓋止め金
１０ａ：蓋止め金の基部軸
１０ｂ：蓋止め金の止め突起
１１：軸受フック
１２：厚紙
１３：止め金係止部
１３ａ：止め金係止部のくぼみ部
１３ｂ：止め金係止部の傾斜面部
【図１】
2007001628.tif 000003
【図２】
2007001628.tif 000004
【図３】
2007001628.tif 000005
【図４】
2007001628.tif 000006
【図５】
2007001628.tif 000007
【図６】
2007001628.tif 000008
【図７】
2007001628.tif 000009
【図８】
2007001628.tif 000010
【図９】
2007001628.tif 000011
【図１０】
2007001628.tif 000012
【図１１】
2007001628.tif 000013